(57)【要約】      （修正有）【課題】ニーズに応じたサイズ、棚板数を構成し、取外し及び組立ての利便性を高める収納棚を提供する。【解決手段】収納棚は、主に、複数のフレーム１と嵌合部品２と棚板３とを含む。その内、フレームには二つの垂直部１１と垂直部に連結する水平部１２を設け、垂直部には間隔をあけて配列する複数の固定孔１３を備える。嵌合部品には貫通孔を備えた棚受体２１を設け、貫通孔には弾性を備えた掛止鉤を内設する。また、棚受体には突出部を水平延伸させ、突出部には並列の二つの定位孔２５を設け、棚板の両側にはそれぞれ嵌入棒３３を設ける。嵌合部品をそれぞれフレームの垂直部に嵌設し、掛止鉤を固定孔に嵌合して定位させ、棚板の嵌入棒を定位孔に挿設することにより、棚板を垂直或いは水平に延長配列する。【選択図】図１
0003180203.tif 000002
【実用新案登録請求の範囲】
【請求項１】
フレームと嵌合部品と棚板とを含む収納棚において、
前記フレームには二つの垂直部と垂直部に連結する水平部を設け、垂直部には間隔をあけて配列する複数の固定孔を備え、
前記嵌合部品には貫通孔を備えた棚受体を設け、該貫通孔には弾性を備えた掛止鉤を内設し、また、棚受体には、並列の二つの定位孔を設けた突出部を水平延伸させ、
前記棚板の両側にはそれぞれ嵌入棒を設け、
嵌合部品をそれぞれフレームの垂直部に嵌設し、掛止鉤を垂直部の固定孔に嵌合して定位させ、棚板の嵌入棒を定位孔に挿設することにより、収納棚の取外し及び組立ての利便性を高め、尚且つニーズに応じたサイズ及び棚板数の収納棚を構成できることを特徴とする収納棚。
【請求項２】
前記フレームの垂直部の固定孔は垂直部の内側縁に設けることを特徴とする請求項１に記載の収納棚。
【請求項３】
前記嵌合部品の掛止鉤は、貫通孔と定位孔間の壁面から二つの垂直切欠口をカット後に引掛片を形成し、引掛片の上部縁には凸柱を設けて弾性を備えた掛止鉤を構成することを特徴とする請求項１に記載の収納棚。
【請求項４】
前記棚板の両側に設けた嵌入棒は逆Ｌ字形をなすことを特徴とする請求項１に記載の収納棚。
【請求項５】
前記棚板は、棚板フレームと棚板フレームに設けるネットとを含み、嵌入棒を棚板フレームの両側に設けることを特徴とする請求項１に記載の収納棚。
【請求項６】
嵌合部品の掛止鉤に設けた前記凸柱は傾斜を備え、フレームの垂直部の固定孔に嵌合する利便を図ることを特徴とする請求項３に記載の収納棚。
【請求項７】
棚受体の突出部に設けた前記定位孔は長方形の穴であることを特徴とする請求項１に記載の収納棚。
【請求項８】
棚受体の突出部に設けた前記定位孔は円形の穴であることを特徴とする請求項１に記載の収納棚。
【考案の詳細な説明】
【技術分野】
【０００１】
本考案は、特に、ニーズに応じたサイズ及び棚板数を構成し、取外し及び組立てがさらに便利な収納棚に関する。
【背景技術】
【０００２】
一般の収納棚の構造は、通常、一定の棚板数とサイズを設計する。取外し及び組立ては可能であるが、施工操作のほとんどが螺着方式であるため利便性に欠け、収納物品の需要が増えた時には、消費者は同様或いは異なる収納棚を買い足して併せて使用するしかなく、元来の収納棚を垂直或いは水平に延長使用はできず、使用上の面倒を引き起こし、経済的な負担も増える。そこで、出願人は前述の問題点に鑑み、本業界に長年従事してきた経験に基いて研究及び実験を積み重ね、ついに、組立て、取外しの利便性を高め、サイズを延長し棚板数を変えられる収納棚を誕生させた。
【考案の概要】
【考案が解決しようとする課題】
【０００３】
本考案の主な目的は、収納棚を簡単に操作することでニーズに応じたサイズ及び棚板数に組み合わせられ、尚且つ取外し及び組立てを便利に行え、収納棚の実用価値を高められる収納棚の提供にある。
【課題を解決するための手段】
【０００４】
前記収納棚は、複数のフレームと嵌合部品と棚板とを含む。その内、フレームには二つの垂直部と垂直部に連結する水平部を設け、垂直部には間隔をあけて配列する複数の固定孔を備える。嵌合部品には貫通孔を備えた棚受体を設け、貫通孔には弾性を備えた掛止鉤を内設する。また、棚受体には突出部を水平延伸させ、突出部には並列の二つの定位孔を設け、棚板の両側にはそれぞれ嵌入棒を設ける。嵌合部品をそれぞれフレームの垂直部に嵌設し、掛止鉤を固定孔に嵌合して定位させ、棚板の嵌入棒を定位孔に挿設することにより、棚板を垂直或いは水平に延長配列する。これにより、ニーズに応じたサイズ及び棚板数の収納棚が構成され、収納棚の取外し及び組立てをさらに便利に行うことができる。
【０００５】
前記収納棚において、嵌合部品の棚受体の貫通孔内に設けた掛止鉤は、貫通孔と定位孔間の壁面から二つの垂直切欠口をカット後に引掛片を形成し、引掛片の上部縁には適度な高さの凸柱を設けて弾性を備えた掛止鉤を構成する。
【考案の効果】
【０００６】
本考案の収納棚は、ニーズに応じたサイズ及び棚板数に組み合わせられ、尚且つ取外し及び組立てを便利に行え、収納棚の実用価値を高める効果を有する。
【図面の簡単な説明】
【０００７】
【図１】本考案の組立図である。
【図２】本考案の嵌合部品の立体図である。
【図３】本考案の嵌合部品の立体図である。
【図４】本考案の組立断面図である。
【図５】本考案の水平延長組立状態の平面図である。
【図６】本考案の水平延長組立状態の組立図である。
【図７】本考案の水平延長組立後の立体図である。
【図８】本考案の嵌合部品の第二実施例の立体図である。
【図９】本考案の嵌合部品の第二実施例の立体図である。
【図１０】本考案の第二実施例の組立図である。
【考案を実施するための形態】
【０００８】
図１に示した本考案の組立図、図２及び図３に示した本考案の嵌合部品の立体図、図４の嵌合部品とフレームの組立断面図を参照とし説明を行う。図に示すとおり、本考案は主に、複数のフレーム１、嵌合部品２、及び棚板３を含む。その内、フレーム１には二つの垂直部１１と垂直部１１に連結する水平部１２を設け、垂直部１１の内側縁には間隔をあけて配列する複数の固定孔１３を備える。
【０００９】
嵌合部品２には棚受体２１（本実施例では方形とする）を備え、棚受体２１には貫通孔２２を設け、貫通孔２２には弾性を備えた掛止鉤２３を内設する。棚受体２１には突出部２４を水平延伸させ、突出部２４には並列の定位孔２５を設ける（本実施例では並列の長方形の穴であるが、並列の円形の穴としてもよい）。その内、掛止鉤２３は、貫通孔２２と定位孔２５間の壁面から二つの垂直切欠口２６をカット後に引掛片を形成し、引掛片の上部縁には適度な高さの凸柱２３１を設けて凸柱２３１に適当な角度の傾斜をもたせるため、弾性を備えた掛止鉤２３が構成される。尚、本実施例の掛止鉤２３の高さは、棚受体２１を超える高さとする。
【００１０】
棚板３は、棚板フレーム３１と棚板フレーム３１に設けるネット３２とを含む。棚板フレーム３１の両側にはそれぞれ逆Ｌ字形をなす嵌入棒３３を設ける。
【００１１】
前記構成要素を組み合わせ、嵌合部品２をそれぞれフレーム１の垂直部１１に嵌設する。嵌合部品２を垂直部１１にスライドさせると、凸柱２３１が適当な傾斜を備え、尚且つ掛止鉤２３に適当な弾性が備えられているため、垂直部１１に押圧され、さらに掛止鉤２３の凸柱２３１が垂直部１１の固定孔１３に嵌合されて定位する。こうして複数の嵌合部品２を二つの垂直部１１に配置し、棚板３の嵌入棒３３を定位孔２５に挿設すると、棚板３は垂直に延長配列される。使用しない場合は、掛止鉤２３の高さが棚受体２１より高いため、使用者が工具を用いて掛止鉤２３にフレーム１方向の力を加えると、掛止鉤２３はフレーム１の垂直部１１の固定孔１３から離脱する。よって、本考案の収納棚は、組立て及び取外しをさらに便利に行え、ニーズに応じた棚板数の収納棚を構成でき、収納棚の実用価値を高めることができる。
【００１２】
図５及び図６には本考案の水平延長組立状態の平面図、組立図を示す。図に示すとおり、本考案を組み立てる場合、フレーム１を適当に増加し、同様に各フレーム１の垂直部１１に嵌合部品２を嵌着する。その内、嵌合部品２の突出部２４が二つの定位孔２５を備えてあり、二つの棚板３の嵌入棒３３のそれぞれを二つの定位孔２５に挿設することにより、棚板３の水平延長が構成される。
【００１３】
図５と図６に併せて、図７に示した本考案の水平延長組立後の立体図を参照する。図に示すとおり、本考案を水平延長する場合は複数のフレーム１を用いる。フレーム１に複数の嵌合部品２を取り付け、適当な数量の棚板３の嵌入棒３３を嵌合部品２の定位孔２５に挿設することにより棚板３を垂直配列し、尚且つ両側方向に水平延長することができる。こうして、収納棚をニーズに応じたサイズ及び棚板数に変化させ、簡単な操作で組立てて、収納空間を増やすことができる。
【００１４】
図８と図９に本考案の嵌合部品の第二実施例の立体図を示す。図に示すとおり、本考案の嵌合部品２は、前記実施例を方形に設定する他、棚受体２１を円形に設定してもよい。但し、棚受体２１には同じく貫通孔２２と弾性を備えた掛止鉤２３を設け、同様に、棚受体２１から突出部２４を水平延伸させ、突出部２４には並列する定位孔２５を設ける。
【００１５】
図１０には本考案の第二実施例の組立図を示す。図に示すとおり、嵌合部品２に組み合わせた本考案の円形は、フレーム１の垂直部１１を円管状に設計し、同様に垂直部１１には固定孔１３を設ける。組み立てる場合は、嵌合部品２をそれぞれフレーム１の垂直部１１に嵌着し、複数の嵌合部品２を二つの垂直部１１に配置して棚板３の嵌入棒３３を定位孔２５に挿設させると、棚板３は垂直及び水平に延長配列される。これにより、収納棚の取外し及び組立てをさらに便利にし、ニーズに応じたサイズ及び棚板数の収納棚を構成することができる。
【００１６】
前述したとおり、本考案は、固定孔を備えたフレームと、掛止鉤を組み合わせた嵌合部品と、嵌合部品に嵌着する棚板とにより構成される収納棚である。収納棚は簡単な操作によって、ニーズに応じたサイズ及び棚板数に組み合わせることができ、尚且つ取外し及び組立てを便利に行え、収納棚の実用価値を高めるものである。
【００１７】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００１８】
１          フレーム
１１        垂直部
１２        水平部
１３        固定孔
２          嵌合部品
２１        棚受体
２２        貫通孔
２３        掛止鉤
２３１        凸柱
２４        突出部
２５        定位孔
２６        垂直切欠口
３          棚板
３１        棚板フレーム
３２        ネット
３３        嵌入棒
【図１】
0003180203.tif 000003
【図２】
0003180203.tif 000004
【図３】
0003180203.tif 000005
【図４】
0003180203.tif 000006
【図５】
0003180203.tif 000007
【図６】
0003180203.tif 000008
【図７】
0003180203.tif 000009
【図８】
0003180203.tif 000010
【図９】
0003180203.tif 000011
【図１０】
0003180203.tif 000012